(57)【要約】【課題】蓋体をスライド移動させることで家庭用薄葉紙を取り出すことが可能であって、蓋体の開放動作が行いやすく、組み立てやすい家庭用薄葉紙収納容器及びその製造方法を提供する。【解決手段】上面に取出口１１を有し、内側に家庭用薄葉紙Ｐを収納するケース体と、ケース体に対してスライド移動することで取出口１１を開閉させる蓋体としての上蓋２０と、上蓋２０を開放状態となる方向に付勢する付勢部材５０と、を備え、ケース体は、容器本体１０と、当該容器本体１０の上面に固定されるシャーシ３０と、を備え、付勢部材５０と上蓋２０とは、シャーシ３０に組み付けられて一体に構成されたアセンブリ体Ａの状態で、容器本体１０に取り付けられている。【選択図】図９
2013209122.tif 000002
【特許請求の範囲】
【請求項１】
上面に取出口を有し、内側に家庭用薄葉紙を収納するケース体と、
前記ケース体に対してスライド移動することで前記取出口を開閉させる蓋体と、
前記蓋体を開放状態となる方向に付勢する付勢部材と、を備え、
前記ケース体は、容器本体と、当該容器本体の上面に固定されるシャーシと、を備え、
前記付勢部材と前記蓋体とは、前記シャーシに組み付けられて一体に構成されたアセンブリ体の状態で、前記容器本体に取り付けられていることを特徴とする家庭用薄葉紙収納容器。
【請求項２】
前記容器本体は、上面に凹部を有し、前記取出口は当該凹部に設けられ、
前記アセンブリ体は、前記凹部内に当該凹部の上方から嵌め込まれていることを特徴とする請求項１に記載の家庭用薄葉紙収納容器。
【請求項３】
前記容器本体は、当該容器本体内に前記家庭用薄葉紙を収納するために下面が開口しており、
前記アセンブリ体は、前記容器本体内に当該容器本体の下面側から嵌め込まれていることを特徴とする請求項１に記載の家庭用薄葉紙収納容器。
【請求項４】
前記シャーシの下面には、前記家庭用薄葉紙を積層してなる家庭用薄葉紙積層体を上側から押える突出部が設けられ、
前記家庭用薄葉紙積層体の種類に応じて、前記突出部の突出長さを変更可能であることを特徴とする請求項１から３の何れか一項に記載の家庭用薄葉紙収納容器。
【請求項５】
請求項１から４の何れか一項に記載の家庭用薄葉紙収納容器の製造方法であって、
前記シャーシに、前記付勢部材と前記蓋体とを組み付けて前記アセンブリ体を形成し、
次いで、前記アセンブリ体を前記容器本体に取り付けることを特徴とする家庭用薄葉紙収納容器の製造方法。
【発明の詳細な説明】
【技術分野】
【０００１】
本発明は、家庭用薄葉紙を収納する家庭用薄葉紙収納容器及びその製造方法に関する。
【背景技術】
【０００２】
従来、家屋の床やトイレ、或いは人体などを拭くための家庭用薄葉紙を収納する家庭用薄葉紙収納容器が知られている。
このような家庭用薄葉紙収納容器においては、家庭用薄葉紙を収納するための容器本体の上面に、その開放端を上下方向に回動させることで開閉を行う蓋体を設けた構成が一般的である。しかしながら、この構成の場合、蓋体を開くと当該蓋体が起立した状態になるため、蓋体を開ける際に高さが必要となり、狭いスペースでは使いづらいという問題があった。また、この構成の場合、蓋体を開くと当該蓋体が起立した状態になるため、蓋体が邪魔になって蓋体の後ろ側からは家庭用薄葉紙が取り出しづらいという問題があった。
【０００３】
これに対し、スライド移動することで開閉を行う蓋体を設けた構成（例えば、特許文献１から３参照）とすれば、蓋体が開いても蓋体が起立した状態にならないため、狭いスペースでも使いやすく、蓋体が邪魔にならず家庭用薄葉紙を全方向から取り出すことができる。
【先行技術文献】
【特許文献】
【０００４】
【特許文献１】特許第３３１８１６６号公報
【特許文献２】特許第３３２２８０５号公報
【特許文献３】特開２００４−３０６９６２号公報
【発明の概要】
【発明が解決しようとする課題】
【０００５】
しかしながら、特許文献１、２記載の構成では、蓋体を開ける際も閉める際も、指等で蓋体をスライド移動させなければならないといった使いづらさがある。
一方、家庭用薄葉紙を収納するための容器本体の上面に、その開放端を上下方向に回動させることで開閉を行う蓋体を設けた家庭用薄葉紙収納容器として、蓋体の開放動作を行いやすくするために、蓋体を開く方向に付勢する付勢部材（エマストラー等により形成されたヒンジ、ねじりコイルバネなど）を備えたものが知られている。しかし、このような家庭用薄葉紙収納容器においては、蓋体と付勢部材とを別々に容器本体に取り付けることによって組み立てられるので、組み立て作業が煩雑である。
【０００６】
本発明の課題は、蓋体をスライド移動させることで家庭用薄葉紙を取り出すことが可能であって、蓋体の開放動作が行いやすく、組み立てやすい家庭用薄葉紙収納容器及びその製造方法を提供することである。
【課題を解決するための手段】
【０００７】
上記課題を解決するために、請求項１に記載の発明は、家庭用薄葉紙収納容器において、
上面に取出口を有し、内側に家庭用薄葉紙を収納するケース体と、
前記ケース体に対してスライド移動することで前記取出口を開閉させる蓋体と、
前記蓋体を開放状態となる方向に付勢する付勢部材と、を備え、
前記ケース体は、容器本体と、当該容器本体の上面に固定されるシャーシと、を備え、
前記付勢部材と前記蓋体とは、前記シャーシに組み付けられて一体に構成されたアセンブリ体の状態で、前記容器本体に取り付けられていることを特徴とする。
【０００８】
請求項２に記載の発明は、請求項１に記載の家庭用薄葉紙収納容器において、
前記容器本体は、上面に凹部を有し、前記取出口は当該凹部に設けられ、
前記アセンブリ体は、前記凹部内に当該凹部の上方から嵌め込まれていることを特徴とする。
【０００９】
請求項３に記載の発明は、請求項１に記載の家庭用薄葉紙収納容器において、
前記容器本体は、当該容器本体内に前記家庭用薄葉紙を収納するために下面が開口しており、
前記アセンブリ体は、前記容器本体内に当該容器本体の下面側から嵌め込まれていることを特徴とする。
【００１０】
請求項４に記載の発明は、請求項１から３の何れか一項に記載の家庭用薄葉紙収納容器において、
前記シャーシの下面には、前記家庭用薄葉紙を積層してなる家庭用薄葉紙積層体を上側から押える突出部が設けられ、
前記家庭用薄葉紙積層体の種類に応じて、前記突出部の突出長さを変更可能であることを特徴とする。
【００１１】
請求項５に記載の発明は、請求項１から４の何れか一項に記載の家庭用薄葉紙収納容器の製造方法であって、
前記シャーシに、前記付勢部材と前記蓋体とを組み付けて前記アセンブリ体を形成し、
次いで、前記アセンブリ体を前記容器本体に取り付けることを特徴とする。
【発明の効果】
【００１２】
本発明によれば、係止手段による係止を解除するだけで付勢部材の付勢力によって自動的に蓋体が開くので、蓋体の開放動作が行いやすく、利便性が高い。
さらに、蓋体と付勢部材とを別々に容器本体に取り付ける必要がないので、組み立てやすい。
【図面の簡単な説明】
【００１３】
【図１】本発明の実施形態に係る家庭用薄葉紙収納容器において、（ａ）は上蓋を閉めた状態を示す斜視図、（ｂ）は上蓋を開けた状態を示す斜視図である。
【図２】本発明の実施形態に係る家庭用薄葉紙収納容器において、上蓋を閉めた状態を示す平面図である。
【図３】本発明の実施形態に係る家庭用薄葉紙収納容器において、上蓋を開けた状態を示す平面図である。
【図４】図２の家庭用薄葉紙収納容器のIV−IV線における断面図である。
【図５】図３の家庭用薄葉紙収納容器のV−V線における断面図である。
【図６】容器本体を示す平面図である。
【図７】シャーシ及び付勢部材を示す平面図である。
【図８】上蓋を示す平面図である。
【図９】本発明の実施形態に係る家庭用薄葉紙収納容器の製造方法を説明するための図である。
【図１０】変形例１に係る家庭用薄葉紙収納容器において、上蓋を閉めた状態を示す平面図である。
【図１１】変形例１に係る家庭用薄葉紙収納容器において、上蓋を開けた状態を示す平面図である。
【図１２】変形例２に係る家庭用薄葉紙収納容器において、上蓋を閉めた状態を示す平面図である。
【図１３】変形例２に係る家庭用薄葉紙収納容器において、上蓋を開けた状態を示す平面図である。
【図１４】変形例２に係る家庭用薄葉紙収納容器において、上蓋を閉めた状態を示す平面図である。
【図１５】変形例２に係る家庭用薄葉紙収納容器において、上蓋を開けた状態を示す平面図である。
【図１６】変形例３に係る家庭用薄葉紙収納容器において、上蓋を閉めた状態を示す平面図である。
【図１７】変形例３に係る家庭用薄葉紙収納容器において、上蓋を開けた状態を示す平面図である。
【図１８】図１６の家庭用薄葉紙収納容器のXVIII−XVIII線における断面図である。
【図１９】図１７の家庭用薄葉紙収納容器のXIX−XIX線における断面図である。
【図２０】変形例４に係る家庭用薄葉紙収納容器において、上蓋を閉めた状態を示す平面図である。
【図２１】変形例４に係る家庭用薄葉紙収納容器において、上蓋を閉めた状態を示す平面図である。
【図２２】変形例４に係る家庭用薄葉紙収納容器において、上蓋を閉めた状態を示す平面図である。
【図２３】変形例４に係る家庭用薄葉紙収納容器において、上蓋を閉めた状態を示す平面図である。
【図２４】変形例５に係る家庭用薄葉紙収納容器において、上蓋を閉めた状態を示す平面図である。
【図２５】変形例６に係る家庭用薄葉紙収納容器の製造方法を説明するための図である。
【図２６】変形例６に係る家庭用薄葉紙収納容器において、上蓋を閉めた状態を示す平面図である。
【発明を実施するための形態】
【００１４】
以下、本発明の実施の形態を図面に基づいて説明する。ただし、発明の範囲は、図示例に限定されない。
【００１５】
＜家庭用薄葉紙収納容器の構成＞
まず、本実施形態の家庭用薄葉紙収納容器の構成について説明する。
なお、以下の説明では、家庭用薄葉紙収納容器の平面視長手方向を左右方向、平面視短手方向を前後方向、高さ方向を上下方向とする。
【００１６】
本実施形態に係る家庭用薄葉紙収納容器１は、例えば、図１（ａ）に示すように、上蓋２０を閉じた状態で前後方向の側面視にて上側の角が丸みを帯びた略長方形状に形成されており、内部にウェットシートやウェットティシュー等のウェットタイプの家庭用薄葉紙Ｐを収納可能に構成されている。なお、家庭用薄葉紙収納容器１には、ティシューペーパーやキッチンペーパーやペーパータオル等のドライタイプの家庭用薄葉紙Ｐを収納しても良い。
具体的には、家庭用薄葉紙収納容器１は、例えば、図１（ａ），（ｂ）、図２から図５に示すように、上面に家庭用薄葉紙Ｐを取り出すための取出口１１を有するとともに下面に家庭用薄葉紙Ｐが積層された薄葉紙積層体Ｑを詰め替えるための底面開口１２を有し、内側の収納空間部Ｓに薄葉紙積層体Ｑを収納する容器本体１０と、容器本体１０の上面にスライド移動自在に設けられ、取出口１１を開閉させる蓋体としての上蓋２０と、上蓋２０を容器本体１０に取り付けるためのシャーシ３０と、容器本体１０の底面開口１２を塞ぐ底蓋４０と、上蓋２０を開放状態となる方向に付勢する付勢部材５０と、等を備えて構成される。
【００１７】
ここで、容器本体１０及びシャーシ３０が、上面に取出口１１を有し、内側に家庭用薄葉紙Ｐを収納するケース体として機能する。すなわち、ケース体は、容器本体１０と、当該容器本体１０の上面に固定されるシャーシ３０と、を備えており、上蓋２０は、ケース体のうちシャーシ３０に取り付けられている。
また、容器本体１０、上蓋２０、シャーシ３０及び底蓋４０は、例えば、ＰＰ（ポリプロピレン）、ＰＥ（ポリエチレン）、ＰＥＴ（ポリエチレンテレフタレート）、ＡＢＳ（Acrylonitrile Butadiene Styrene）等の熱可塑性樹脂から形成されている。
また、本実施形態においては、付勢部材５０として、引張コイルばねを用いることとする。
【００１８】
また、薄葉紙積層体Ｑは、例えば、複数枚の家庭用薄葉紙Ｐが積層された詰替え用の薄葉紙積層体であって、ケース体（本実施形態の場合、容器本体１０）に形成された取出口１１から家庭用薄葉紙Ｐを継続して取り出せるように交互に折り重ねられた状態で積層されている。すなわち、家庭用薄葉紙Ｐを取出口１１からケース体の外側へ引き出したときに、次の家庭用薄葉紙Ｐの上端が取出口１１よりも突出する位置まで収納空間部Ｓから引き出されるようになっている。
なお、薄葉紙積層体Ｑを、包装体によって内包することとしても良い。特に、家庭用薄葉紙収納容器１に収納する家庭用薄葉紙Ｐが、本実施形態のようにウェットタイプの家庭用薄葉紙Ｐである場合には、薄葉紙積層体Ｑを防湿性の包装体によって内包することが好ましい。
【００１９】
容器本体１０は、例えば、図１（ａ），（ｂ）に示すように、当該容器本体１０の上面を構成する上面部１０ａと、当該容器本体１０の前後左右の周面を構成する周面部１０ｂと、からなり、容器本体１０の下面は平面視にて角のとれた略長方形状を呈する底面開口１２となっている。そして、この底面開口１２を塞ぐように取り付けられた底蓋４０と、容器本体１０の上面部１０ａ及び周面部１０ｂと、によって囲まれた空間が、薄葉紙積層体Ｑを収納するための収納空間部Ｓとなる。
なお、本実施形態では、下面が開口した容器本体１０を用い、薄葉紙積層体Ｑを容器本体１０の下面側から詰め替えるように構成したが、これに限ることはなく、例えば、下面は閉口して前後左右の何れかの面が開口した容器本体１０を用い、薄葉紙積層体Ｑを容器本体１０の前後左右の何れかの面側から詰め替えるように構成することも可能である。
【００２０】
容器本体１０の上面部１０ａには、例えば、図４、図５に示すように、下側に向けて陥没する凹部１３が設けられており、この凹部１３の底面部１３ａに取出口１１が形成されている。なお、本実施形態では、底面部１３ａのうち左右方向（容器本体１０の平面視長手方向）中央よりも一側（本実施形態の場合、右側）にずれた位置に取出口１１を形成したが、これに限ることはなく、例えば、底面部１３ａの左右方向略中央に取出口１１を形成することも可能である。
取出口１１は、容器本体１０の内部の収納空間部Ｓに収納された家庭用薄葉紙Ｐを取り出すための、平面視にて角のとれた略長方形状に形成された開口である。
取出口１１は、上蓋２０が開放状態（図１（ｂ）、図３、図５参照）となった場合に開放され、このとき家庭用薄葉紙Ｐは、取出口１１を通じて一枚毎に収納空間部Ｓから外部に引き出すことができるようになっている。
また、取出口１１は、上蓋２０が閉塞状態（図１（ａ）、図２、図４参照）となった場合に閉塞されるようになっている。
【００２１】
例えば、図４、図５に示すように、取出口１１の周縁には、シリコンゴム等のゴムやオレフィン系エラストマー等の熱可塑性エラストマーなどの弾性体から形成されたケース側パッキン１４が装着されている。
また、上蓋２０の下面にも、シリコンゴム等のゴムやオレフィン系エラストマー等の熱可塑性エラストマーなどの弾性体から形成された蓋側パッキン２１が取り付けられている。
蓋側パッキン２１は、上蓋２０の下面のうち上蓋２０の閉塞状態においてケース側パッキン１４に対応する位置に設けられており、ケース側パッキン１４と蓋側パッキン２１とは、上蓋２０が閉塞状態となった場合に互いに密着して（図４参照）、収納空間部Ｓ内の気密性を保持するように構成されている。すなわち、ケース側パッキン１４及び蓋側パッキン２１が、取出口１１の周縁と上蓋２０との隙間を封止する気密手段として機能する。
これにより、家庭用薄葉紙収納容器１に収納する家庭用薄葉紙Ｐが、本実施形態のようにウェットタイプの家庭用薄葉紙Ｐである場合には、家庭用薄葉紙Ｐに含浸した薬液の蒸発を防止できるようになっている。
【００２２】
また、ケース側パッキン１４には、例えば、図６に示すように、当該ケース側パッキン１４の下端部から内側に向けて（取出口１１を塞ぐ方向側に向けて）延出する複数の舌片部１４ａが設けられており、舌片部１４ａ同士の隙間から家庭用薄葉紙Ｐが引き出されるように構成されている。これにより、家庭用薄葉紙Ｐを一枚ずつ引き出しやすくなっている。
なお、本実施形態では、容器本体１０にケース側パッキン１４を設けて上蓋２０に蓋側パッキン２１を設けた、すなわち、容器本体１０と上蓋２０との双方に気密手段を設けたが、これに限ることはなく、気密手段によって取出口１１の周縁と上蓋２０との隙間を封止できるのであれば、例えば、容器本体１０だけに気密手段を設けても良いし、上蓋２０だけに気密手段を設けても良い。また、例えば図２６（後述）に示すように、シャーシ３０に取出口１１が設けられている場合には、シャーシ３０に気密手段を設けても良い。
【００２３】
シャーシ３０は、容器本体１０の凹部１３内に収容された状態で容器本体１０の上面部１０ａに固定されており、上蓋２０は、シャーシ３０を介して容器本体１０に取り付けられている。
シャーシ３０は、例えば、図７に示すように、凹部１３の底面部１３ａ上に載置され、取出口１１を取り囲む枠部３１と、閉塞状態の上蓋２０と略面一となるよう枠部３１に支持される上壁部３２と、を備えて構成される。
ここで、本実施形態では、上蓋２０と上壁部３２とを合わせると、平面視にて略楕円形状の板状部材を構成するようになっている。また、上蓋２０及び上壁部３２は、前後方向（短径方向）に下方へ凸となるよう湾曲した形状をなしている。
【００２４】
シャーシ３０の枠部３１（具体的には、枠部３１の連結部３１ｃ（後述））の上面には、例えば、図２、図３、図７に示すように、付勢部材５０の一端と係合する固定側係合部３３が設けられている。
また、上蓋２０の下面のうち前後方向略中央の位置には、例えば、図２、図３、図８に示すように、付勢部材５０の他端と係合する可動側係合部２２が設けられている。
ここで、例えば、図７に示すように、本実施形態において、家庭用薄葉紙収納容器１は、付勢部材５０である引張コイルばねを２本備えている。また、シャーシ３０の枠部３１は、固定側係合部３３を２つ備えている。この２つの固定側係合部３３は、上蓋２０とシャーシ３０とが組み合わされた状態で所定の直線（具体的には、左右方向（長径方向）に平行で可動側係合部２２を通る直線）に対して互いに線対称となる位置に配置され、かつ、上蓋２０の閉塞状態における可動側係合部２２との間隔が、上蓋２０の開放状態における可動側係合部２２との間隔よりも長くなるように、枠部３１に設けられている。そして、２本の付勢部材５０のうち一方の一端が、２つの固定側係合部３３のうちの一方に掛止されるとともに、２本の付勢部材５０のうち他方の一端が、２つの固定側係合部３３のうちの他方に掛止され、２本の付勢部材５０の双方の他端が、上蓋２０に設けられた可動側係合部２２に掛止されている。
【００２５】
上蓋２０が右側（すなわち、上壁部３２側）へとスライド移動して開放状態から閉塞状態に移行すると、付勢部材５０の一端に係合する固定側係合部３３と、付勢部材５０の他端に係合する可動側係合部２２と、の間隔が長くなるので、付勢部材５０は左側（すなわち、上壁部３２とは反対側）に付勢された状態になる。すなわち、付勢部材５０は、上蓋２０の閉塞状態において、当該上蓋２０を開放状態となる方向に付勢している。そして、付勢部材５０の付勢力に抗する力が解除されると、付勢部材５０の付勢力によって上蓋２０が左側（すなわち、上壁部３２とは反対側）に引っ張られて、取出口１１が開放される。
ここで、付勢部材５０は、伸縮部材により構成され、シャーシ３０の固定側係合部３３が、ケース体（本実施形態の場合、シャーシ３０）に設けられ付勢部材５０の一端と係合する固定点として機能し、上蓋２０の可動側係合部２２が、上蓋２０に設けられ付勢部材５０の他端と係合する可動点として機能する。
そして、付勢部材５０、シャーシ３０の固定側係合部３３及び上蓋２０の可動側係合部２２が、上蓋２０を開放状態となる方向にスライド移動させる可動機構として機能する。
なお、本実施形態では、固定側係合部３３（固定点）をシャーシ３０に設けたが、これに限ることはなく、固定側係合部３３（固定点）は、容器本体１０に設けても良い。
【００２６】
また、本実施形態では、付勢部材５０、シャーシ３０の固定側係合部３３及び上蓋２０の可動側係合部２２は、上蓋２０が、開放状態である場合も、閉塞状態である場合も、開放状態から閉塞状態に移行する途中の状態である場合も、閉塞状態から開放状態に移行する途中の状態である場合も、凹部１３内に配置された状態で上蓋２０に上方から覆われているので、家庭用薄葉紙収納容器１の外部から視認することができない。
すなわち、上蓋２０は、当該上蓋２０の状態にかかわらず、外部から視認不能に付勢部材５０、シャーシ３０の固定側係合部３３及び上蓋２０の可動側係合部２２を遮蔽している。これにより、家庭用薄葉紙収納容器１の美観が向上するとともに、付勢部材５０、シャーシ３０の固定側係合部３３及び上蓋２０の可動側係合部２２が触られることを防止できるようになっている。
【００２７】
さらに、本実施形態では、凹部１３の底面部１３ａが、容器本体１０の内側（収納空間部Ｓ側）から視認不能に付勢部材５０、シャーシ３０の固定側係合部３３及び上蓋２０の可動側係合部２２を遮蔽しているので、付勢部材５０、シャーシ３０の固定側係合部３３及び上蓋２０の可動側係合部２２が、容器本体１０の内側から触られることも防止できるようになっている。
【００２８】
例えば、図４、図５に示すように、上蓋２０の右端部（すなわち、上壁部３２側の端部）には、下側に向けて突出する爪部２３が設けられている。
また、シャーシ３０には、上壁部３２の一部を操作面３４ａとしたスイッチ部３４が設けられている。スイッチ部３４は、前後方向に沿って延設された軸部３４ｂを回動軸として回動可能に構成されており、左端側（すなわち、上蓋２０側）に爪部２３が上方から進入して係合する爪受部３４ｃを有している。また、スイッチ部３４は、図示しない付勢手段によって、押圧されて回動する方向とは逆方向に付勢されている。
【００２９】
上蓋２０が開放状態である際に、付勢部材５０の付勢力に抗する力を作用させて上蓋２０を右側（すなわち、上壁部３２側）へとスライド移動させると、まず、上蓋２０の爪部２３がスイッチ部３４の爪受部３４ｃに当接する。さらに上蓋２０を右側へとスライド移動させると、爪受部３４ｃが爪部２３に押されてスイッチ部３４の付勢手段の付勢力に抗する力が作用し、爪受部３４ｃが下側へと移動するようにスイッチ部３４が回動する。そして、上蓋２０が閉塞状態になってスイッチ部３４の付勢手段の付勢力に抗する力が解除されると、スイッチ部３４の付勢手段の付勢力によって爪受部３４ｃがもとの位置に戻るよう（すなわち、操作面３４ａが上壁部３２の表面と略面一の状態となるよう）にスイッチ部３４が回動して、爪部２３と爪受部３４ｃとが係合する。これにより、上蓋２０の閉塞状態を維持できるようになっている。
【００３０】
また、爪部２３と爪受部３４ｃとが係合している際に、スイッチ部３４の操作面３４ａが押圧されてスイッチ部３４の付勢手段の付勢力に抗する力が作用すると、爪受部３４ｃが下側へと移動するようにスイッチ部３４が回動する。そして、スイッチ部３４の回動に伴い爪部２３と爪受部３４ｃとの係合が解除されると、付勢部材５０の付勢力によって上蓋２０が左側（すなわち、上壁部３２とは反対側）へとスライド移動して開放状態になる。
すなわち、爪部２３及び爪受部３４ｃが、付勢部材５０の付勢力に抗して上蓋２０が閉塞状態となるように係止するとともに、当該係止を解除可能な係止手段として機能する。
なお、本実施形態では、係止手段による係止を解除する際に押圧されるスイッチ部３４をシャーシ３０に設けたが、これに限ることはなく、スイッチ部３４は、容器本体１０に設けても良い。
【００３１】
本実施形態においては、シャーシ３０の枠部３１の一部が、上蓋２０を直線的にスライド移動するようガイドするレール部３１ａになっている。具体的には、例えば、図７に示すように、シャーシ３０の枠部３１は、左右方向に沿って延設され、前後方向に並ぶレール部３１ａ，３１ａと、レール部３１ａ，３１ａの右端部（すなわち、上蓋２０の閉塞状態となる方向側の端部）同士を連結するとともに上壁部３２を支持する支持部３１ｂと、レール部３１ａ，３１ａの左端部（すなわち、上蓋２０の開放状態となる方向側の端部）同士を連結する連結部３１ｃと、からなる。
また、例えば、図８に示すように、上蓋２０には、レール部３１ａに対してスライド移動可能に係合するスライド部２４が設けられている。スライド部２４は、例えば、上蓋２０とシャーシ３０とが組み合わされた状態で、当該スライド部２４の下面が、対応するレール部３１ａの上面に当接するように、上蓋２０の下面から垂下する垂壁部（図示省略）の下端に接続されている。
これにより、上蓋２０をスムーズかつ確実に開閉できるようになっている。
なお、本実施形態では、上蓋２０のスライド移動をガイドするためのレール部３１ａをシャーシ３０に設けたが、これに限ることはなく、レール部３１ａは、容器本体１０に設けても良い。
【００３２】
ここで、例えば、図８に示すように、スライド部２４の左端部（すなわち、上蓋２０の開放状態となる方向側の端部）には、上蓋２０が開放状態となる際の衝撃を吸収するダンパー２４ａが設けられている。
また、例えば、図６に示すように、容器本体１０の凹部１３の周縁のうち、上蓋２０の閉塞状態においてスライド部２４の左端側（ダンパー２４ａを含む）に対応する位置には、上蓋２０が閉塞状態から開放状態へと移行する際にスライド部２４が入り込む横穴部１５が形成されており、上蓋２０の開放状態において、横穴部１５内でスライド部２４のダンパー２４ａが容器本体１０に当接するように構成されている。すなわち、スライド部２４が容器本体１０に衝突することによって、付勢部材５０の付勢力による上蓋２０のスライド移動が停止するように構成されており、当該衝突の際の衝撃を、ダンパー２４ａによって吸収できるようになっている。
なお、本実施形態では、撓むことで衝撃を吸収できるようにダンパー２４ａを左方へ凸となるよう内側から外側に向けて湾曲した弓状に形成したが、これに限ることはなく、ダンパー２４ａの形状は、上蓋２０が開放状態となる際の衝撃を吸収できるのであれば、適宜任意に変更可能である。
【００３３】
例えば、図４、図５に示すように、上蓋２０には、上蓋２０を閉める際等に指を掛けるための可動側指掛部２５が設けられている。具体的には、上蓋２０には、可動側指掛部２５として、当該上蓋２０の右端部（すなわち、上蓋２０の閉塞状態となる方向側の端部）を上側に向けて起立させることによって形成された突起部が設けられている。また、上蓋２０には、可動側指掛部２５に掛けた指を載置するための指載置部２６として、当該上蓋２０の上面を下側に向けて窪ませることによって形成された凹部が設けられている。
また、ケース体（本実施形態の場合、シャーシ３０）のうち係止手段（本実施形態の場合、爪受部３４ｃ）よりも右側（すなわち、上蓋２０の閉塞状態となる方向側）には、上蓋２０を閉める際等に指を掛けるための不動側指掛部３５が設けられている。具体的には、シャーシ３０には、不動側指掛部３５として、シャーシ３０の端部（本実施形態の場合、上壁部３２の右端部）を上側に向けて起立させることにより形成された突起部が設けられている。
【００３４】
すなわち、可動側指掛部２５の左側（すなわち、不動側指掛部３５とは反対側）に指を掛けて上蓋２０を閉める際に、不動側指掛部３５の右側（すなわち、可動側指掛部２５とは反対側）に指を掛けて容器本体１０に左方向の力（上蓋２０に作用させる力とは逆方向の力）を作用させて容器本体１０が滑らないように容器本体１０を固定しておくことができるように構成されている。これにより、片手で上蓋２０を閉めることができるようになっている。
また、本実施形態の場合、不動側指掛部３５は、スイッチ部３４に離間してケース体（本実施形態の場合、シャーシ３０）に設けられている。これにより、不動側指掛部３５に掛けた指でスイッチ部３４を誤操作してしまうことを防止できるようになっている。
なお、本実施形態では、不動側指掛部３５をシャーシ３０に設けたが、これに限ることはなく、不動側指掛部３５は、容器本体１０に設けても良い。
【００３５】
例えば、図４、図５に示すように、上蓋２０の下面には、先端が左側（すなわち、上蓋２０の開放状態となる方向側）を向くよう前後方向の側面視略逆Ｌ字状に突出する突片部２７が設けられている。
また、例えば、図６に示すように、容器本体１０の凹部１３の周縁のうち、上蓋２０の閉塞状態において突片部２７の先端側（ダンパー２７ａ（後述）を含む）に対応する位置には、上蓋２０が閉塞状態から開放状態へと移行する際に突片部２７が入り込む横穴部１６が形成されており、上蓋２０が開放状態になると、上蓋２０の突片部２７の先端側が容器本体１０の横穴部１６に入り込んで、突片部２７の上下方向の移動が規制されるように構成されている。これにより、上蓋２０の開放状態において、上蓋２０の左端側が上方向へと移動して上蓋２０が起き上がってしまうことを防止できるようになっている。
【００３６】
ここで、例えば、図４、図５に示すように、突片部２７の先端部には、上蓋２０が開放状態となる際の衝撃を吸収するダンパー２７ａが設けられており、上蓋２０の開放状態において、横穴部１６内で突片部２７のダンパー２７ａが容器本体１０に当接するように構成されている。すなわち、突片部２７が容器本体１０に衝突することによっても、付勢部材５０の付勢力による上蓋２０のスライド移動が停止するように構成されており、当該衝突の際の衝撃を、ダンパー２７ａによって吸収できるようになっている。
【００３７】
なお、本実施形態では、撓むことで衝撃を吸収できるようにダンパー２７ａを左方へ凸となるよう上側から下側に向けて湾曲した弓状に形成したが、これに限ることはなく、ダンパー２７ａの形状は、上蓋２０が開放状態となる際の衝撃を吸収できるのであれば、適宜任意に変更可能である。
また、本実施形態では、突片部２７にダンパー２７ａを設けてスライド部２４にダンパー２４ａを設けた、すなわち、突片部２７とスライド部２４との双方にダンパーを設けたが、これに限ることはなく、ダンパーによって上蓋２０が開放状態となる際の衝撃を吸収すること（衝撃を緩めること）ができるのであれば、例えば、突片部２７だけにダンパーを設けても良いし、スライド部２４だけにダンパーを設けても良いし、突片部２７及びスライド部２４以外の部分にダンパーを設けても良い。また、ダンパーは、上蓋２０側ではなく、ケース体（容器本体１０やシャーシ３０）側に設けても良いし、上蓋２０側とケース体側との双方に設けても良い。突片部２７にダンパーを設けない場合は、上蓋２０の開放状態において、突片部２７が横穴部１６内で容器本体１０に当接しないように構成することが好ましい。また、スライド部２４にダンパーを設けない場合は、上蓋２０の開放状態において、スライド部２４が横穴部１５内で容器本体１０に当接しないように構成することが好ましい。
【００３８】
なお、本実施形態では、スライド部２４の左端側が入り込む横穴部１５の上方が上面部１０ａによって塞がれるように構成したが、これに限ることはなく、横穴部１５は上方に開口していてもよい。
また、突片部２７は、上蓋２０が起き上がってしまうことを防止するために設けられているが、本実施形態のように、スライド部２４の左端側が入り込む横穴部１５の上方が上面部１０ａによって塞がれている場合には、スライド部２４によって、上蓋２０が起き上がってしまうことを防止することができる。具体的には、この場合には、上蓋２０が開放状態になると、上蓋２０のスライド部２４の左端側が容器本体１０の横穴部１５に入り込んで、スライド部２４の上下方向の移動が規制され、上蓋２０が起き上がってしまうことを防止することができるので、突片部２７を設けなくてもよい。
【００３９】
＜家庭用薄葉紙収納容器の製造方法＞
次に、本実施形態の家庭用薄葉紙収納容器の製造方法の一例について、図９を参照して説明する。
まず、シャーシ３０に、付勢部材５０と上蓋２０とを組み付けてアセンブリ体Ａを形成する。
次いで、アセンブリ体Ａを容器本体１０に取り付ける。具体的には、シャーシ３０の下面に設けられた複数（本実施形態の場合、５個）の嵌合凸部３６と、容器本体１０の凹部１３の底面部１３ａに嵌合凸部３６に対応させて設けられた嵌合孔部１７と、が嵌合するよう、アセンブリ体Ａを、容器本体１０の凹部１３内に当該凹部１３の上方から嵌め込むことによって、容器本体１０に取り付ける。すなわち、付勢部材５０と上蓋２０とは、シャーシ３０に組み付けられて一体に構成されたアセンブリ体Ａの状態で、容器本体１０に取り付けられている。これにより、上蓋２０と付勢部材５０とシャーシ３０とを別々に容器本体１０に取り付ける手間を省くことができるようになっている。
なお、本実施形態では、シャーシ３０に設けられた嵌合凸部３６と、容器本体１０に設けられた嵌合孔部１７と、を嵌合させることによって、アセンブリ体Ａを容器本体１０に固定するよう構成したが、これに限ることはなく、例えば、ねじ等によってアセンブリ体Ａを容器本体１０に固定しても良い。
【００４０】
以上説明した本実施形態の家庭用薄葉紙収納容器１によれば、上面に取出口１１を有し、内側に家庭用薄葉紙Ｐを収納するケース体（容器本体１０及びシャーシ３０）と、ケース体に対してスライド移動することで取出口１１を開閉させる蓋体としての上蓋２０と、上蓋２０を開放状態となる方向に付勢する付勢部材５０を有し、当該上蓋２０を開放状態となる方向にスライド移動させる可動機構（付勢部材５０、固定側係合部３３及び可動側係合部２２）と、付勢部材５０の付勢力に抗して上蓋２０が閉塞状態となるように係止するとともに、当該係止を解除可能な係止手段（爪部２３及び爪受部３４ｃ）と、を備えている。
すなわち、係止手段（爪部２３及び爪受部３４ｃ）による係止を解除すると、付勢部材５０の付勢力によって、取出口１１を閉塞していた上蓋２０がスライド移動して開放状態となり、取出口１１が開放されることとなる。
したがって、係止手段（爪部２３及び爪受部３４ｃ）による係止を解除するだけで付勢部材５０の付勢力によって自動的に上蓋２０が開くので、上蓋２０の開放動作が行いやすく、利便性が高い。
【００４１】
具体的には、本実施形態において、付勢部材５０は、伸縮部材により構成され、可動機構は、ケース体（本実施形態の場合、シャーシ３０）に設けられ付勢部材５０の一端と係合する固定点としての固定側係合部３３と、上蓋２０に設けられ付勢部材５０の他端と係合する可動点としての可動側係合部２２と、を備えている。
なお、家庭用薄葉紙収納容器１に備える付勢部材５０の個数（本数）は、２つ（２本）に限ることはなく、適宜任意に変更可能であり、１つ（１本）であっても良いし、３つ（３本）以上あってもよい。また、固定側係合部３３や可動側係合部２２の個数は、付勢部材５０の個数に応じて、適宜任意に変更可能である。
また、本実施形態では、上蓋２０が、ケース体の外側でスライド移動するように構成したが、これに限ることはなく、上蓋２０が、ケース体の内側でスライド移動して、上蓋２０の開放状態において上蓋２０の大部分（例えば、可動側指掛部２５を除く部分）がケース体内に収まるように構成することも可能である。
【００４２】
また、以上説明した本実施形態の家庭用薄葉紙収納容器１によれば、上蓋２０は、当該上蓋２０の状態にかかわらず、外部から視認不能に付勢部材５０を遮蔽している。
したがって、家庭用薄葉紙収納容器１の美観が向上する。
また、付勢部材５０が触られることを防止することができるので、付勢部材５０に汚れが付きにくく、付勢部材５０に指等が挟まる心配もなく、衛生的に安全に使用することができるとともに、付勢部材５０が、取り外されてしまったり、取り外されて誤飲されてしまったりすることを防止することができる。
【００４３】
また、以上説明した本実施形態の家庭用薄葉紙収納容器１によれば、上蓋２０が開放状態となる際の衝撃を吸収するダンパー２４ａ，２７ａを備えている。
すなわち、上蓋２０は付勢部材５０の付勢力によって自動的に開くが、その際の衝撃がダンパー２４ａ，２７ａによって吸収されるので、上蓋２０が開放状態となる際の衝撃に伴う上蓋２０やケース体（本実施形態の場合、主に容器本体１０）の磨耗を抑制したり、上蓋２０が開放状態となる際に生じる衝突音を軽減したりすることができる。
【００４４】
また、以上説明した本実施形態の家庭用薄葉紙収納容器１によれば、ケース体（本実施形態の場合、シャーシ３０）には、上蓋２０のスライド移動をガイドするためのレール部３１ａが設けられ、上蓋２０には、レール部３１ａに対してスライド移動可能に係合するスライド部２４が設けられている。
すなわち、上蓋２０はスライド移動することによって取出口１１を開閉させるが、そのスライド移動がレール部３１ａによってガイドされるので、上蓋２０をスムーズかつ確実に開閉することができる。
【００４５】
また、以上説明した本実施形態の家庭用薄葉紙収納容器１によれば、上面に取出口１１を有し、内側に家庭用薄葉紙Ｐを収納するケース体（容器本体１０及びシャーシ３０）と、ケース体に対してスライド移動することで取出口１１を開閉させる蓋体としての上蓋２０と、上蓋２０が閉塞状態となるように係止するとともに、当該係止を解除可能な係止手段（爪部２３及び爪受部３４ｃ）と、を備え、上蓋２０には、可動側指掛部２５が設けられ、ケース体（本実施形態の場合、シャーシ３０）のうち係止手段（本実施形態の場合、爪受部３４ｃ）よりも上蓋２０の閉塞状態となる方向側には、不動側指掛部３５が設けられている。
すなわち、可動側指掛部２５に指を掛けて上蓋２０に閉塞状態となる方向（本実施形態の場合、右方向）の力を加えることができるだけでなく、上蓋２０を閉める際に、閉塞状態となる方向の力が上蓋２０だけでなくケース体（容器本体１０及びシャーシ３０）に加わってしまっても、不動側指掛部３５に指を掛けてケース体に逆方向の力を作用させてケース体を固定しておくことができるので、ケース体が滑ってしまうことがない。
したがって、片手で上蓋２０を閉めることができ、上蓋２０の閉塞動作が行いやすい。
【００４６】
特に、本実施形態の場合、上蓋２０を開放状態となる方向に付勢する付勢部材５０を備えているので、上蓋２０を閉める際に、上蓋２０の閉塞状態となる方向の力として、付勢部材５０の付勢力に抗する力を上蓋２０に加えることとなる。その際に、付勢部材５０の付勢力によって、付勢部材５０の付勢力に抗する力と同じ方向の力がケース体に加わるので、ケース体は上蓋２０の閉塞状態となる方向側に滑りやすいが、不動側指掛部３５を設けることで、ケース体が滑らないように、不動側指掛部３５に指を掛けてケース体を固定しておくことができる。
なお、本実施形態では、家庭用薄葉紙収納容器１に上蓋２０を開放状態となる方向に付勢する付勢部材５０を設けたが、これに限ることはなく、家庭用薄葉紙収納容器１に付勢部材５０を設けなくてもよい。家庭用薄葉紙収納容器１に付勢部材５０を設けない場合には、可動側指掛部２５と不動側指掛部３５との双方に指を掛けて上蓋２０を開閉することができる。したがって、片手で上蓋２０を開閉することができ、上蓋２０の開閉動作が行いやすい。
【００４７】
また、以上説明した本実施形態の家庭用薄葉紙収納容器１によれば、ケース体（本実施形態の場合、シャーシ３０）は、係止手段（爪部２３及び爪受部３４ｃ）による係止を解除する際に押圧されるスイッチ部３４を備え、不動側指掛部３５は、スイッチ部３４に離間してケース体（本実施形態の場合、シャーシ３０）に設けられた突起部である。
具体的には、本実施形態において、ケース体は、容器本体１０と、当該容器本体１０の上面に固定されるシャーシ３０と、を備え、上蓋２０は、シャーシ３０に取り付けられ、不動側指掛部３５は、シャーシ３０の端部（本実施形態の場合、上壁部３２の右端部）を上側に向けて起立させることにより形成された突起部である。
したがって、不動側指掛部３５がスイッチ部３４に離間して設けられているので、不動側指掛部３５に掛けた指でスイッチ部３４を誤操作してしまうことを防止することができ、上蓋２０を片手で確実に閉めることができる。
なお、本実施形態では、スイッチ部３４を回動可能に構成したが、これに限ることはなく、スイッチ部３４を押圧することで係止手段（爪部２３及び爪受部３４ｃ）による係止を解除できるのであれば、スイッチ部３４の構成は適宜任意に変更可能であり、例えば、スイッチ部３４は上下方向に揺動可能に構成しても良い。
また、スイッチ部３４や不動側指掛部３５を設ける箇所は、スイッチ部３４や不動側指掛部３５が容器本体１０の平面（上面）視外形からはみ出さないのであれば、適宜任意に変更可能である。
【００４８】
また、以上説明した本実施形態の家庭用薄葉紙収納容器１によれば、上面に取出口１１を有し、内側に家庭用薄葉紙Ｐを収納するケース体と、ケース体に対してスライド移動することで取出口１１を開閉させる蓋体としての上蓋２０と、上蓋２０を開放状態となる方向に付勢する付勢部材５０と、を備え、ケース体は、容器本体１０と、当該容器本体１０の上面に固定されるシャーシ３０と、を備え、付勢部材５０と上蓋２０とは、シャーシ３０に組み付けられて一体に構成されたアセンブリ体Ａの状態で、容器本体１０に取り付けられている。
具体的には、本実施形態において、容器本体１０は、上面に凹部１３を有し、取出口１１は当該凹部１３に設けられ、アセンブリ体Ａは、凹部１３内に当該凹部１３の上方から嵌め込まれている。
また、以上説明した本実施形態の家庭用薄葉紙収納容器１の製造方法によれば、シャーシ３０に、付勢部材５０と上蓋２０とを組み付けてアセンブリ体Ａを形成し、次いで、アセンブリ体Ａを容器本体１０に取り付けるようになっている。
したがって、上蓋２０と付勢部材５０とを別々に容器本体１０に取り付ける必要がないので、組み立てやすい。
【００４９】
＜変形例１＞
第１実施形態では、付勢部材５０である引張コイルばねを２本備えるとともに、シャーシ３０に固定側係合部３３を２つ、上蓋２０に可動側係合部２２を１つ備えて、２本の付勢部材５０のうち一方の一端が、２つの固定側係合部３３のうちの一方に掛止されるとともに、２本の付勢部材５０のうち他方の一端が、２つの固定側係合部３３のうちの他方に掛止され、２本の付勢部材５０の双方の他端が、１つの可動側係合部２２に掛止されるように構成したが、これに限ることはない。
例えば、付勢部材５０である引張コイルばねを２本備えるとともに、シャーシ３０に固定側係合部３３を２つ、上蓋２０に可動側係合部２２を２つ備えて、２本の付勢部材５０のうち一方の一端が、２つの固定側係合部３３のうちの一方に掛止されるとともに、２本の付勢部材５０のうち他方の一端が、２つの固定側係合部３３のうちの他方に掛止され、２本の付勢部材５０のうち一方の他端が、２つの可動側係合部２２のうちの一方に掛止されるとともに、２本の付勢部材５０のうち他方の他端が、２つの可動側係合部２２のうちの他方に掛止されるように構成することも可能である。
【００５０】
また、例えば、図１０、図１１に示すように、付勢部材５０である引張コイルばねを２本備えるとともに、シャーシ３０に固定側係合部３３を１つ、上蓋２０に可動側係合部２２を２つ備えて、２本の付勢部材５０の双方の一端が、１つの固定側係合部３３に掛止され、２本の付勢部材５０のうち一方の他端が、２つの可動側係合部２２のうちの一方に掛止されるとともに、２本の付勢部材５０のうち他方の他端が、２つの可動側係合部２２のうちの他方に掛止されるように構成することも可能である。
なお、家庭用薄葉紙収納容器１に備える付勢部材５０の個数（本数）は、２つ（２本）に限ることはなく、適宜任意に変更可能であり、１つ（１本）であっても良いし、３つ（３本）以上あってもよい。また、固定側係合部３３や可動側係合部２２の個数は、付勢部材５０の個数に応じて、適宜任意に変更可能である。
【００５１】
＜変形例２＞
第１実施形態では、上蓋２０を開放状態となる方向に付勢する付勢部材として、引張コイルばね（引きばね）を用いたが、これに限ることはなく、当該付勢部材は、伸縮部材であれば適宜任意に変更可能であり、例えば、トーションばねや圧縮コイルばね（押しばね）等であっても良い。
また、上蓋２０を開放状態となる方向に付勢する付勢部材は、金属材料からなる伸縮部材であっても、高分子材料からなる伸縮部材であっても良い。高分子材料からなる伸縮部材としては、例えば、プラスチック製の伸縮部材、シリコンゴム等のゴムやオレフィン系エラストマー等の熱可塑性エラストマーなどの弾性体（軟質性樹脂）製の伸縮部材等が挙げられ、また、その形状は、ばね状であっても、板状やチューブ状や紐状であっても良く、適宜任意に変更可能である。付勢部材が高分子材料からなる場合、金属製の付勢部材と違って錆びることがないので、長期に亘って安定的に使用することができる。家庭用薄葉紙収納容器１に収納する家庭用薄葉紙Ｐが、ウェットタイプの家庭用薄葉紙Ｐである場合は特に、金属製の付勢部材を用いると、家庭用薄葉紙Ｐから蒸発した薬液によって付勢部材が錆びる可能性が高くなるので、高分子材料からなる付勢部材を用いることが好ましい。
なお、可動側係合部２２や固定側係合部３３の位置は、上蓋２０を開放状態となる方向に付勢する付勢部材の種類によって適宜任意に変更可能である。
【００５２】
ここで、上蓋２０を開放状態となる方向に付勢する付勢部材が、シリコンチューブ等の高分子材料からなるチューブ状の付勢部材１５０である場合、例えば、図１２、図１３に示すように、付勢部材１５０を１本備えるとともに、シャーシ３０（或いは、容器本体１０であっても良い。）に固定側係合部３３を２つ、上蓋２０に可動側係合部２２を１つ備えて、付勢部材１５０の一端を２つの固定側係合部３３のうちの一方（第１固定点）と係合させるとともに、付勢部材１５０の他端を２つの固定側係合部３３のうちの他方（第２固定点）と係合させて、付勢部材１５０の一端と他端との間の部分（具体的には、付勢部材１５０の長手方向略中央の部分）を１つの可動側係合部２２（可動点）と係合させるように構成しても良い。或いは、例えば、図１４、図１５に示すように、付勢部材１５０を１本備えるとともに、シャーシ３０（或いは、容器本体１０であっても良い。）に固定側係合部３３を１つ、上蓋２０に可動側係合部２２を２つ備えて、付勢部材１５０の一端を２つの可動側係合部２２のうちの一方（第１可動点）と係合させるとともに、付勢部材１５０の他端を２つの可動側係合部２２のうちの他方（第２可動点）と係合させて、付勢部材１５０の一端と他端との間の部分（具体的には、付勢部材１５０の長手方向略中央の部分）を１つの固定側係合部３３（固定点）と係合するように構成しても良い。
【００５３】
付勢部材１５０の一端を２つの固定側係合部３３のうちの一方と係合させて、付勢部材１５０の他端を２つの固定側係合部３３のうちの他方と係合させる場合、例えば、図１２、図１３に示すように、付勢部材１５０の端部を折り返して輪状に形成し固定側係合部３３に掛けて結束部１５１で止めても良いし、或いは、付勢部材１５０の端部に固定側係合部３３と係合するための加工（例えば、固定側係合部３３に引っ掛けることができる形状に加工）を予め施していても良いし、固定側係合部３３に付勢部材１５０の端部と係合するための加工（例えば、付勢部材１５０の端部を挟むことができる形状に加工）しても良い。一方、付勢部材１５０の一端と他端との間の部分と可動側係合部２２とは、付勢部材１５０の伸縮が制限されないよう、外れない程度に係合していれば良い。付勢部材１５０の一端を２つの可動側係合部２２のうちの一方と係合させて、付勢部材１５０の他端を２つの可動側係合部２２のうちの他方と係合させる場合も同様である。
付勢部材１５０の一端を２つの固定側係合部３３のうちの一方と係合させて、付勢部材１５０の他端を２つの固定側係合部３３のうちの他方と係合させる場合も、付勢部材１５０の一端を２つの可動側係合部２２のうちの一方と係合させて、付勢部材１５０の他端を２つの可動側係合部２２のうちの他方と係合させる場合も、付勢部材１５０を１本だけ用意すれば良いので、部品点数を少なくすることができる。なお、この場合、付勢部材１５０の形状は、チューブ状に限ることはなく、適宜任意に変更可能であり、ばね状であっても、板状や紐状であっても良い。また、付勢部材１５０は、高分子材料からなる伸縮部材に限ることはなく、金属材料からなる伸縮部材であっても良い。
【００５４】
＜変形例３＞
上蓋２０を開放状態となる方向に付勢する付勢部材は、伸縮部材により構成されるものに限ることはなく、例えば、可撓性部材により構成される付勢部材２５０であっても良い。
上蓋２０を開放状態となる方向に付勢する付勢部材が可撓性部材により構成される付勢部材２５０である場合、家庭用薄葉紙収納容器１は、例えば、図１６から図１９に示すように、容器本体１０と、容器本体１０の上面にスライド移動自在に設けられ、取出口１１を開閉させる蓋体としての上蓋２２０と、上蓋２２０を容器本体１０に取り付けるためのシャーシ２３０と、底蓋４０と、上蓋２２０を開放状態となる方向に付勢する付勢部材２５０と、等を備えて構成される。
【００５５】
シャーシ２３０は、取出口１１に対応する部分に開口部２３２ａを有し、容器本体１０の凹部１３のうち当該部分（取出口１１に対応する部分）以外を覆う上壁部２３２と、上壁部２３２の下面に回動自在に設けられた棒状の回動部２３８と、等を備えている。回動部２３８は、上下方向に沿って延設された軸部２３８ｂを回動軸として回動可能に構成されており、先端が可動部２３８ａとなっている。
上蓋２２０は、シャーシ２３０の上壁部２３２の下方にスライド移動可能に配設され、スライド移動して当該上壁部２３２の開口部２３２ａを開閉することによって、取出口１１を開閉させるように構成されている。また、上蓋２２０には、可動部２３８ａと当接する当接部２２０ａとして、当該上蓋２２０の左端部（すなわち、上蓋２２０の開放状態となる方向側の端部）を上側に向けて起立させることによって形成された起立壁部が設けられている。
【００５６】
付勢部材２５０は、シャーシ２３０の上壁部２３２と上蓋２２０との間に配設され、一端が、上壁部２３２の下面に設けられた固定部２３７に接続されるとともに、他端が、シャーシ２３０の回動部２３８の先端（可動部２３８ａ）に接続されている。
ここで、上蓋２０を開放状態となる方向に付勢する付勢部材が可撓性部材により構成される付勢部材２５０である場合、付勢部材２５０と、ケース体（本変形例の場合、シャーシ２３０）に設けられ付勢部材２５０の一端と係合する固定部２３７（固定点）と、上蓋２０に当接し付勢部材２５０の他端と係合する可動部２３８ａ（可動点）と、が可動機構として機能する。
なお、本変形例では、固定部２３７（固定点）をシャーシ２３０に設けたが、これに限ることはなく、固定部２３７（固定点）は、容器本体１０に設けても良い。
【００５７】
上蓋２０が右側（すなわち、スイッチ部３４側）へとスライド移動して開放状態から閉塞状態に移行すると、上蓋２２０の当接部２２０ａに押されて、付勢部材２５０の他端に係合（接続）する可動部２３８ａが、付勢部材２５０の一端に係合（接続）する固定部２３７に近づき、付勢部材２５０が撓むので、付勢部材２５０は左側（すなわち、スイッチ部３４とは反対側）に付勢された状態になる。すなわち、付勢部材２５０は、上蓋２２０の閉塞状態において、当該上蓋２２０を開放状態となる方向に付勢している。そして、付勢部材２５０の付勢力に抗する力が解除されると、付勢部材２５０の付勢力によって付勢部材２５０の他端に係合する可動部２３８ａが上蓋２２０を左側（すなわち、スイッチ部３４とは反対側）に押すので、取出口１１が開放される。
【００５８】
＜変形例４＞
不動側指掛部は、シャーシ３０の端部を上側に向けて起立させることにより形成された突起部に限ることはなく、スイッチ部３４に離間してケース体に設けられた突起部であれば、例えば、図２０に示す不動側指掛部３３５のように、レール部３１ａ，３１ａの右端部（すなわち、上蓋２０の閉塞状態となる方向側の端部）同士を連結するとともに上壁部３２を支持する支持部３１ｂに設けられ、スイッチ部３４の操作面３４ａよりも上方に突出する突起部であっても良い。
【００５９】
さらに、不動側指掛部は、スイッチ部３４に離間してケース体に設けられた突起部に限ることはなく、ケース体のうち係止手段よりも上蓋２０の閉塞状態となる方向側に設けられた突起部であれば、例えば、図２１に示す不動側指掛部４３５のように、スイッチ部３４の上面（操作面３４ａ）に設けられた突起部であっても良い。
【００６０】
また、不動側指掛部は、突起部に限ることはなく、ケース体のうち係止手段よりも上蓋２０の閉塞状態となる方向側に設けられているのであれば、例えば、図２２に示す不動側指掛部５３５のように、容器本体１０（或いは、シャーシ３０であっても良い。）に設けられた凹部であっても良い。
なお、スイッチ部３４に不動側指掛部を設ける場合も、不動側指掛部は凹部であっても良い。しかし、スイッチ部３４に設ける不動側指掛部が凹部であると、当該不動側指掛部に掛けた指でスイッチ部３４を誤操作してしまう虞がある。これに対し、前述したように、スイッチ部３４に設ける不動側指掛部を突起部にすると（図２１参照）、当該不動側指掛部に掛けた指でスイッチ部３４を誤操作してしまう虞を抑制することができるので、好適である。
【００６１】
可動側指掛部は、突起部に限ることはなく、上蓋２０に設けられているのであれば、例えば、凹部であっても良く、例えば、図２３に示すように、指載置部２６を可動側指掛部として使用することも可能である。
また、上蓋２０自体が湾曲して指がフィットする形状としても良い。この場合、上蓋２０の上面が可動側指掛部になる。
【００６２】
＜変形例５＞
例えば、図２４に示すように、シャーシ３０の下面に、家庭用薄葉紙Ｐを積層してなる家庭用薄葉紙積層体（薄葉紙積層体Ｑ）を上側から押える突出部３７を備えるとともに、容器本体１０の凹部１３の底面部１３ａに突出部３７を挿通可能な孔部（図示省略）を設けてもよい。
ここで、突出部３７は、薄葉紙積層体Ｑの種類（例えば、収納空間部Ｓ内に収納する商品）に応じて、突出長さを変更可能となっている。具体的には、例えば、収納空間部Ｓ内に収納する薄葉紙積層体Ｑ（商品）が、ウェブ高さの高い商品である場合には、短い突出部３７が設けられたシャーシ３０を使用し、ウェブ高さの低い商品である場合には、長い突出部３７が設けられたシャーシ３０を使用することが可能となっている。これにより、薄葉紙積層体Ｑ（商品）の高さが高い場合には、収納空間部Ｓ内に薄葉紙積層体Ｑが収まるよう薄葉紙積層体Ｑを突出部３７で押えつけることができ、薄葉紙積層体Ｑ（商品）の高さが低い場合には、収納空間部Ｓ内で薄葉紙積層体Ｑが動かないよう薄葉紙積層体Ｑを突出部３７で押えつけることができる。
【００６３】
したがって、容器本体１０を再設計しなくても、アセンブリ体Ａを交換するだけで、様々なウェブ高さの薄葉紙積層体Ｑ（商品）に対応することが可能となる。
また、付勢部材５０と上蓋２０とは、シャーシ３０に組み付けられて一体に構成されたアセンブリ体Ａの状態で、容器本体１０に取り付けられているので、容器本体１０を再設計しなくても、アセンブリ体Ａを交換するだけで、上蓋２０のデザインや寸法を変更することや、例えば図２６（後述）に示すようにシャーシ３０に取出口１１が設けられている場合には取出口１１のデザインや寸法を変更することができる。また、容器本体１０を再設計しなくても、アセンブリ体Ａを交換するだけで、蓋側パッキン２１の材質や形状を変更して収納空間部Ｓの気密性を調整することもできる。
なお、本変形例では、嵌合凸部３６とは別に突出部３７を設けたが、これに限ることはなく、嵌合凸部３６を突出部の代用としても良い。
【００６４】
＜変形例６＞
シャーシ３０に付勢部材５０と上蓋２０とを組み付けて形成されたアセンブリ体Ａは、例えば、図２５に示すように、容器本体１０内に当該容器本体１０の下面側（底面開口１２側）から嵌め込まれるように構成することも可能である。
この場合、例えば、図２５、図２６に示すように、容器本体１０に、容器本体１０の内面と、当該容器本体１０に装着されたアセンブリ体Ａの外面と、の隙間を塞ぐためのリブＲを設けると、収納空間部Ｓの気密性が向上するので、家庭用薄葉紙収納容器１に収納する家庭用薄葉紙Ｐが、ウェットタイプの家庭用薄葉紙Ｐである場合には、家庭用薄葉紙Ｐに含浸した薬液の蒸発を防止できる。また、容器本体１０にリブＲを設けると、リブＲによって容器本体１０に対するアセンブリ体Ａの位置決めを行うことができるので、家庭用薄葉紙収納容器１の組み立て作業を効率良く行うことが可能となる。
【００６５】
なお、本変形例では、例えば、図２５、図２６に示すように、容器本体１０に設けられた嵌合凸部６３６と、シャーシ３０に設けられた嵌合孔部（図示省略）と、を嵌合させることによって、アセンブリ体Ａを容器本体１０に固定するよう構成したが、これに限ることはなく、例えば、ねじ等によってアセンブリ体Ａを容器本体１０に固定しても良い。
【００６６】
なお、今回開示された実施の形態はすべての点で例示であって制限的なものではないと考えられるべきである。また、前述の実施形態及び変形例の構成を組み合わせて適用しても良い。本発明の範囲は上記した説明ではなくて特許請求の範囲によって示され、特許請求の範囲と均等の意味および範囲内でのすべての変更が含まれることが意図される。
【符号の説明】
【００６７】
１  家庭用薄葉紙収納容器
１０  容器本体（ケース体）
１１  取出口
１３  凹部
１４  ケース側パッキン（気密手段）
２０，２２０  上蓋（蓋体）
２１  蓋側パッキン（気密手段）
２２  可動側係合部（可動機構、可動点、第１可動点、第２可動点）
２３  爪部（係止手段）
２４  スライド部
２４ａ  ダンパー
２５  可動側指掛部
２７ａ  ダンパー
３０，２３０  シャーシ（ケース体）
３１ａ  レール部
３３  固定側係合部（可動機構、固定点、第１固定点、第２固定点）
３４  スイッチ部
３４ｃ  爪受部（係止手段）
３５，３３５，４３５，５３５  不動側指掛部
３７  突出部
５０，１５０，２５０  付勢部材（可動機構）
２３７  固定部（可動機構、固定点）
２３８ａ  可動部（可動機構、可動点）
Ａ  アセンブリ体
Ｐ  家庭用薄葉紙
Ｑ  薄葉紙積層体（家庭用薄葉紙積層体）
【図１】
2013209122.tif 000003
【図２】
2013209122.tif 000004
【図３】
2013209122.tif 000005
【図４】
2013209122.tif 000006
【図５】
2013209122.tif 000007
【図６】
2013209122.tif 000008
【図７】
2013209122.tif 000009
【図８】
2013209122.tif 000010
【図９】
2013209122.tif 000011
【図１０】
2013209122.tif 000012
【図１１】
2013209122.tif 000013
【図１２】
2013209122.tif 000014
【図１３】
2013209122.tif 000015
【図１４】
2013209122.tif 000016
【図１５】
2013209122.tif 000017
【図１６】
2013209122.tif 000018
【図１７】
2013209122.tif 000019
【図１８】
2013209122.tif 000020
【図１９】
2013209122.tif 000021
【図２０】
2013209122.tif 000022
【図２１】
2013209122.tif 000023
【図２２】
2013209122.tif 000024
【図２３】
2013209122.tif 000025
【図２４】
2013209122.tif 000026
【図２５】
2013209122.tif 000027
【図２６】
2013209122.tif 000028